(57)【要約】【課題】  色再現能力をハードコピー画像の色再現領域まで拡張する。【解決手段】  カラー１画素ＣＰＸをＲ，Ｇ，Ｂの３原色の副画素とＲの補色発光の副画素Ｇｄを追加することにより色度図上での色再現空間は四角形となり、演色空間は３原色系における三角形に対し大幅に向上する。【選択図】        図５
2005156925.tif 000002
【特許請求の範囲】
【請求項１】
３原色の副画素で構成されたカラー１画素をマトリクス配列してなり、前記副画素の少なくとも一つに該副画素の補色を発光する補色発光副画素と白色発光副画素の何れかまたは双方を備えたことを特徴とする表示装置。
【請求項２】
前記補色発光副画素は、前記カラー１画素に関して１つ以上、３個以内設けられることを特徴とする請求項１に記載の表示装置。
【請求項３】
前記補色発光副画素を隣り合うカラー１画素と共用することを特徴とする請求項１または２に記載の表示装置。
【請求項４】
前記白色発光副画素を隣り合うカラー１画素と共用することを特徴とする請求項１乃至３の何れかに記載の表示装置。
【請求項５】
前記補色発光副画素あるいは白色発光副画素の形状が、３原色の副画素の基本副画素形状と異なることを特徴とする請求項１に記載の表示装置。
【請求項６】
絶縁基板と、
前記絶縁基板の主面の一方向に延在して並設された多数の走査線と、
前記一方向と交叉する他方向に延在して並設された多数の信号線と、
前記前記走査線と前記信号線の各交叉部に形成されてカラー１画素を構成する複数の副画素を有する表示装置であって、
前記３原色の副画素の少なくとも一つの補色を発光する補色発光副画素と白色発光副画素の何れかまたは双方を備えたことを特徴とする表示装置。
【請求項７】
前記補色発光副画素は、前記カラー１画素に関して１つ以上、３個以内設けられることを特徴とする請求項６に記載の表示装置。
【請求項８】
前記補色発光副画素を隣り合うカラー１画素と共用することを特徴とする請求項６または７に記載の表示装置。
【請求項９】
前記白色発光副画素を隣り合うカラー１画素と共用することを特徴とする請求項６乃至８の何れかに記載の表示装置。
【請求項１０】
前記補色発光副画素あるいは白色発光副画素の形状が、３原色の副画素の基本副画素形状と異なることを特徴とする請求項６に記載の表示装置。
【発明の詳細な説明】
【技術分野】
【０００１】
本発明は、平板型の表示装置に関するが、特に有機エレクトロルミネッセンス表示装置、液晶表示装置、電界放出型表示装置、あるいはプラズマ表示装置など、マトリクス配列された多数の画素で画像を表示する３原色系でカラー表示を行う表示装置に好適なものである。
【背景技術】
【０００２】
ノート型コンピユータやディスプレイモニター用の高精細かつカラー表示が可能な表示装置として液晶パネルを用いた表示装置が実用化されているが、この外に有機発光材料あるいは無機発光材料を発光層とした表示装置が実用化または実用化のための研究がなされている。本発明は、有機エレクトロルミネッセンス（有機ＥＬ）や無機ＥＬの発光層を有する表示装置の当該発光層の形成に限らず、電界放出型表示装置（ＦＥＤ）やプラズマ型表示装置（ＰＤＰ）などの自発光型表示装置における蛍光体形成にも同様に適用できるが、以下では、有機ＥＬ表示装置を例として説明する。
【０００３】
有機ＥＬ表示装置を構成する有機ＥＬ素子は、下層電極と上層電極で有機発光層を挟み、上下の電極から供給される電流で該有機発光層が発光する現象を利用したものである。この発光現象を利用した有機ＥＬ表示装置は、多数の有機ＥＬ素子からなる画素をマトリクス状に配置して２次元画像を表示するものであり、駆動方式により単純マトリクス型とアクティブ・マトリクス型とに分類される。単純マトリクス型は、絶縁基板の主面の一方向に延在してほぼ平行に並設された多数の走査線と、該一方向と交叉する他方向に延在してほぼ平行に並設された多数の信号線との各交叉部に有機発光層を介在させて画素を形成したものである。
【０００４】
一方、アクティブ・マトリクス型の表示装置は、絶縁基板の主面の一方向に延在して並設された多数の走査線と、該一方向と交叉する他方向に延在して並設された多数の信号線、および電源線を備え、走査線と信号線との各交叉部に薄膜トランジスタ等のアクティブ素子（スイッチング素子、以下薄膜トランジスタと言う）を有し、この薄膜トランジスタで駆動される下層電極（画素電極）と前記信号線から供給される表示信号に応じた電流を供給する前記電源線に接続した上層電極との間に有機発光層（以下、ＯＬＥＤとも称する）を介在させて構成される。アクティブ・マトリクス型の有機ＥＬ表示装置は、画素間のクロストークがなく、高精細で多階調表示が可能である。
【０００５】
図１０は有機ＥＬ表示装置の一画素付近の構成例を模式的に説明する断面図である。図１０に示した有機ＥＬ表示装置はアクティブ・マトリクス型であり、ガラスを好適とする透明なメイン基板ＳＵＢ１の主面（内面）に薄膜トランジスタＴＦＴを有し、この薄膜トランジスタＴＦＴで駆動される一方の電極（ここでは陽極）ＡＤと、他方の電極（ここでは陰極）ＣＤの間に有機発光層ＯＬＥを挟んで発光部を構成している。なお、薄膜トランジスタＴＦＴは、ポリシリコン半導体層ＰＳＩ、ゲート絶縁層ＩＳＩ、ゲート線（ゲート電極）ＧＬ、ソース・ドレイン電極ＳＤ、層間絶縁層ＩＳ２、ＩＳ３で構成される。
【０００６】
画素電極である陽極ＡＤは、パッシベーション層ＰＳＶの上層に成膜された透明導電層ＩＴＯで構成され、パッシベーション層ＰＳＶと層間絶縁層ＩＳ３に開けたコンタクトホールでソース・ドレイン電極ＳＤに電気的に接続されている。また、この構成例では、有機発光層ＯＬＥは陽極ＡＤ上に塗布した絶縁層で構成されたバンクＢＮＫで囲まれた凹部に蒸着、あるいはインクジェット等の塗布手段で形成される。そして、この有機発光層ＯＬＥとバンクＢＮＫを覆って陰極ＣＤがアルミニウム薄膜やクロム薄膜などの導電性のベタ膜で形成されている。
【０００７】
この有機ＥＬ表示装置は、所謂ボトムエミッション型と称するものであり、発光層からの発光光Ｌはメイン基板ＳＵＢ１の表面から外部に矢印で示したように出射される。したがって、陰極ＣＤは光反射能を有するものとされる。メイン基板ＳＵＢ１の主面側には、封止缶とも称される封止ガラス基板ＳＵＢ２が貼り合わされ、図示しない周辺部を周回するシール内部を真空状態に封止される。
【０００８】
図１１は有機ＥＬ表示装置の等価回路の一例の説明図である。図１０で説明した構成を有する画素ＰＸをマトリクス状に配置して２次元の表示装置を構成している。副画素ＰＸは赤（Ｒ）、緑（Ｇ）、青（Ｂ）で構成されるカラー１画素を構成する。各副画素ＰＸは第１の薄膜トランジスタＴＦＴ１と第２の薄膜トランジスタＴＦＴ２およびコンデンサＣｓ並びに有機ＥＬ素子ＯＬＥＤで構成される。有機ＥＬ素子ＯＬＥＤは図１０で説明した構造の画素を構成する。点線で囲まれた表示領域ＡＲ内には、各画素に駆動信号を供給するためのドレイン線ＤＬとゲート線ＧＬとが交差配置されている。メイン基板ＳＵＢ１の一部は封止ガラス基板ＳＵＢ２よりサイズが大きく、封止ガラス基板ＳＵＢ２からはみ出している。このはみ出し部分にドレインドライバＤＤＲが搭載され、ドレイン線ＤＬに表示信号を供給する。
【０００９】
一方、ゲートドライバＧＤＲは封止ガラス基板ＳＵＢ２で覆われるメイン基板ＳＵＢ１上に、所謂システム・オン・グラスと称する形態で直接形成されている。このゲートドライバＧＤＲにゲート線ＧＬが接続されている。なお、表示領域ＡＲには電源線ＣＬが配置されている。この電源線ＣＬは電源線バス線を介して図示しない端子で外部電源に接続している。図１１では、ゲートドライバＧＤＲがメイン基板ＳＵＢ１上に直接形成されているものとして示したが、ゲートドライバＧＤＲを半導体チップとしてドレインドライバＤＤＲと同様にメイン基板ＳＵＢ１の上に搭載したものも知られている。
【００１０】
ゲート線ＧＬは画素ＰＸを構成する第１の薄膜トランジスタＴＦＴ１のソース・ドレイン電極の一方（ここではゲート電極）に接続し、ドレイン線ＤＬはソース・ドレイン電極の一方（ここではソース電極）に接続している。この第１の薄膜トランジスタＴＦＴ１は、画素ＰＸに表示信号を取り込むためのスイッチであり、ゲート線ＧＬで選択されてオンとなったときドレイン線ＤＬから供給される表示信号に応じた電荷を容量Ｃｓに蓄積する。第２の薄膜トランジスタＴＦＴ２は、第１の薄膜トランジスタＴＦＴ１がオフした時点でオンとなり、容量Ｃｓに蓄積された表示信号の大きさに応じた電流を電源線ＣＬから有機ＥＬ素子ＯＬＥＤに供給する。有機ＥＬ素子ＯＬＥＤは供給された電流量に応じて発光する。
【００１１】
有機ＥＬ表示装置によるカラー画像の生成には、カラー陰極線管と同様に３原色の発光の加法混色（Additive  Process ）が用いられる。このようなカラー画像の生成手法は、液晶表示装置（ＬＣＤ）、電界放出型表示装置（ＦＥＤ）、プラズマ表示装置（ＰＤＰ）など、画像工学上、「ソフトコピー」と分類される画像（ディスプレイパネル等に一時的に表示される画像）を生成する上述した他の表示装置においても採用される。一方、画像工学上、「ハードコピー」と分類される画像（紙、フィルム等に直接視認されるように定着される画像）を生成するカラーフィルム（例えば、多層式カラーフィルム（Integral  Multilayer  Color  Film ）やカラープリンタには、３原色の色素（Pigments）の減法混色（Subtractive  Process）が用いられる。近年普及してきたインクジェット・プリンタは、３原色以外に補色又は中間色のインクを用い、これが付着される副画素を３原色の画素とともに印刷媒体に形成する。これにより  、印刷媒体に再現される色調の多様性が増し、印刷媒体に生成される画像の色再現性が向上する。
【００１２】
陰極線管の場合、その色再現法は、各赤（Ｒ）、緑（Ｇ）、青（Ｂ）の副画素すなわちカラー１画素を構成する３個の副画素は、それぞれに対応する電子銃からの電子ビームのエネルギーにより輝度調節を行うものである。そのため、補色発光を考えた場合には、補色発光副画素を駆動する電子銃を新たに追加しなければならない。しかし、３本の電子銃構造でさえも、その３本の電子ビームを画面上に走査し収束させる技術が非常に高度で精密な調整が要求されている現状を考えると、電子銃の追加は現実的でない。また、ＮＴＳＣという規格が存在し、テレビジョン放送に用いられる信号仕様が規格化されている。このＮＴＳＣ規格は３原色駆動を前提に考えられたものであることから、３原色駆動の陰極線管でテレビジョン信号を再現するのに不都合はない。一方、ＬＣＤは、その応答遅延特性から、テレビジョン受像デバイスとして不向きであるにも関わらず、３原色駆動を前提としたものが一般的である。この理由は、情報端末、例えばコンピュータ等がＲ，Ｇ，Ｂの３原色駆動を前提とした信号形態に基づいて設計されているからである。
【００１３】
陰極線管と異なり、液晶表示装置（ＬＣＤ）は、本来「光シャッタ（光変調器）」としての能力しか持たないため、これで表示される画像の色再現性はカラーフィルタに依存する。また、画素の各々が自ら発光する有機ＥＬ表示装置（Organic  Light-Emitting  Diode表示装置、ＯＬＥＤとも記す）、電界放出型表示装置（ＦＥＤ）等の自発光型表示装置（Self-luminous  Display  Device）で表示される画像の色再現性は、各画素に設けられた発光材料層や蛍光物質層の材質や物性に依存する。従って、液晶表示装置や自発光型表示装置では、その画素単位（カラーの１画素）毎に形成される３原色の副画素（Sub-pixels）の設計次第で、これにより表示される画像のカラーバランスが改善される。また、陰極線管や一部の液晶表示装置（３原色の光源を順次点灯させるフィールド・シーケンシャル駆動（Field  Sequential  Operation）を採用したもの）に比べて、液晶表示装置や自発光型表示装置は一つの画素単位に３原色以外の色を表示する副画素を設け易い。この付加的な副画素と３原色の副画素との各々から輻射される光の加法混色により、画素単位の各々が生成し得る発光スペクトル（発光色）の多様性が増すため、液晶表示装置や自発光型表示装置でもカラーフィルムやカラープリンタで得られるハードコピー並みのカラーバランスでソフトコピーを表示することが理論的に可能となる。
【００１４】
図１は有機ＥＬ表示装置の有効表示領域ＡＲの平面図である。また、図２は図１にＡで示した隅部分のカラー副画素配列の一例を説明する拡大図である。図２の副画素の形状は、所謂ドットであり、赤（Ｒ）、緑（Ｇ）、青（Ｂ）の３色の副画素ＰＸをカラー１画素ＣＰＸとしてマトリクス状に配列されている。このカラー１画素ＣＰＸを構成する３個の副画素（赤（Ｒ）、緑（Ｇ）、青（Ｂ））の発光割合を制御することでフルカラーの画像を再現する。
【００１５】
図３は図２は図１にＡで示した隅部分のカラー副画素配列の他例を説明する拡大図である。図３の副画素の形状は、所謂ストライプであり、赤（Ｒ）、緑（Ｇ）、青（Ｂ）の３色のストライプ状副画素パターンの上記した副画素部分ＰＸをカラー１画素ＣＰＸとして配列されている。このカラー１画素ＣＰＸを構成する３個の副画素（赤（Ｒ）、緑（Ｇ）、青（Ｂ））の発光割合を制御することでフルカラーの画像を再現する。
【００１６】
図４において、国際照明委員会（ＣＩＥ：Commission  Internationale  de  I'Ecl airage）が定める表色系（Color  Specification  System）に則るＣＩＥ１９３１色度図（Chromaticity  Diagram ）により、ＮＴＳＣ（National  Television  System  Committee ）が定めるテレビジョン放送規格の色再現範囲と、実際のカラー表示装置の色再現範囲とが比較される。いずれの色再現範囲も、赤（Ｒ）、緑（Ｇ）、青（Ｂ）の副画素の各色度座標を頂点とした三角形（以下、色再現トライアングル・・・Color  Reproduction  Triangle と呼ぶ）として示される。図４において、ＮＴＳＣが定める色再現トライアングルが点線で、３原色の副画素を図２に示す如く配置した表示装置（Display １）の色再現トライアングルが太線で、３原色の副画素を図３に示す如く配置した表示装置（Display   ２）の色再現トライアングルが細線で、夫々示される。また、太線の色再現トライアングルの内部に示された菱形のドットは表示装置（Display   １）により表示される白色の色度座標を、細線の色再現トライアングルの内部に示された三角形のドットは表示装置（Display   ２）により表示される白色の色度座標を、夫々示す。図４には示されないが、ＮＴＳＣの定める白の色度座標は、x ＝0.310 ，y ＝0.316 に現れる。
【００１７】
図４に示された色再現トライアングルは、その面積が広いほど、再現される（再現すべき）色が多様であることを意味する。一方、図４から明らかなように、ＮＴＳＣの定める色再現トライアングルに比べて、２つの表示装置（Display   １，Display   ２）のいずれの色再現トライアングルは狭い。従って、これらの表示装置のいずれも、これにＮＴＳＣ方式で入力されるテレビジョン放送やＤＶＤ等から再生される画像情報に見合う映像を完全には表示し得ないことが判る。ＮＴＳＣが定める赤（Ｒ）の色度座標（x ＝0.67，y ＝0.33）に対して、２つの表示装置の色再現トライアングルをなす赤（Ｒ）の色度座標のいずれも近い。しかし、ＮＴＳＣが定める緑（Ｇ）の色度座標（x ＝0.21，y ＝0.71）に対して、２つの表示装置の色再現トライアングルをなす緑（Ｇ）の色度座標はいずれもｘ軸方向にずれ、ＮＴＳＣが定める青（Ｂ）の色度座標（x ＝0.14，y ＝0.08）に対して、２つの表示装置の色再現トライアングルをなす青（Ｂ）の色度座標はいずれもｙ軸方向にずれる。このため、夫々の表示装置で得られるいずれの映像も、短波長側の色の再現が不十分となる。
【００１８】
なお、多色発光を可能としたエレクトロルミネッセンス（ＥＬ）表示装置に関する従来技術を開示したものとして、例えば特許文献１および特許文献２を挙げることができる。特許文献１は複数の発光層を電極を介して積み上げ、該電極を選択して最大７色の発光色を得るようにしたＯＬＥＤのデバイス構造を開示する。特許文献２は青色発光ダイオードに緑色と橙色の透明ＥＬ素子を組み合わせて高輝度の白色表示を可能としたＥＬ表示装置を開示する。
【特許文献１】特開平０７−１７６３８３号公報
【特許文献２】特開平１１−００８０６７号公報
【発明の開示】
【発明が解決しようとする課題】
【００１９】
上記した従来技術を纏めると：
（１）陰極線管、液晶表示装置等の表示装置は、３原色の光の加法混色によりカラー画像を生成する。
（２）陰極線管は、その機構上、３本を超える電子銃を搭載し難い。
（３）既存の表示装置では、ＮＴＳＣにて色度図上に定められた色再現トライアングル内の全ての色調を再現しきれない。
（４）３原色の減法混色で生成される写真や印刷物等のハードコピーでは、３原色の画素の他に補助画素が設けられることもある。
（５）液晶表示装置にて、３原色の画素とその補助画素とを設けても、その演色性（Color  Rendering  Properties）がバックライトに制限されるため、ハードコピーで得られる多様な色調を充分に再現できない。
（６）液晶表示装置や有機ＥＬ表示装置は、これが占有する空間を低減でき、小型、軽量、低消費電力の利点も有する。
（７）一般に知られる有機ＥＬ表示装置は、３原色の光の加法混色に拠る色再現領域にてカラー画像を生成する。
【００２０】
上記従来技術に鑑み、本発明は、ハードコピーに相当する画像品位を得るためのソフトコピー素子として有機ＥＬ発光素子（ＯＬＥＤ）を応用し、このＯＬＥＤの色再現能力を従来不可能とされていたハードコピー画像の色再現領域まで拡張した表示装置を提供することにある。
【課題を解決するための手段】
【００２１】
本発明は、有機ＥＬ表示装置（ＯＬＥＤ）の表示領域をなす複数の画素単位（カラー画素）の各々に、３原色の副画素（以下、原色画素）と当該３原色の少なくとも一つの補色（Complementary  Color）を発光する副画素（以下、補色画素）とを設ける。これにより、図４に示した色度図における有機ＥＬ表示装置の色再現領域は、上述の色再現トライアングルに代わり、これより面積の広い４以上の頂点を有する多角形となる。従って、表示領域に生じる発光スペクトル（発光色）もより多様化する。補色画素は、画素単位毎に少なくとも一つ設けられ、画素単位における原色画素の占有面積を考慮すると、最大３つとするのが実用的である。
【００２２】
さらに、本発明は、上述の補色画素に加えて白色発光する副画素（以下、白色画素）を画素単位毎に設ける。これにより、本発明による有機ＥＬ表示装置の１つの画素単位には、例えば、最大７つの副画素が設けられ、この７つの副画素により、多様な色調を再現する。また、補色画素及び白色画素は、隣り合う複数の画素単位で共有してもよい。
【００２３】
上述した補色画素や白色画素の形状は、赤（Ｒ），緑（Ｇ），青（Ｂ）の原色画素の形状と異ならせてもよい。例えば、ドット形状の原色画素に対して、補色画素や白色画素をストライプ形状としてもよく、また補色画素や白色画素を含む複数種の副画素の少なくとも１種をストライプ形状にし且つ残りをドット形状にしてもよい。逆に、ストライプ形状の原色画素に対して、補色画素や白色画素をドット形状としてもよく、また補色画素や白色画素を含む複数種の副画素の少なくとも１種をドット形状にし，且つ残りをストライプ形状にしてもよい。
【００２４】
なお、本発明は上記の構成および後述する実施例の構成に限定されるものではなく、本発明の技術思想を逸脱することなく種々の変更が可能である。
【発明の効果】
【００２５】
本発明によれば、色度図上での色再現範囲が拡大する。カラー１画素を構成する副画素の数が増加するため各副画素の負荷が減少し、長寿命化と信頼性が向上する。基本的には、薄膜トランジスタを形成するメイン基板の設計は従来と相違しない。有機ＥＬ材料の蒸着のためのマスクあるいは塗布手段も特別なものとする必要はない。したがって、量産性は従来と同等レベルを確保でき、ハードコピーの領域まで画像品質を向上することが可能となり、高品質の画像表示が可能な表示装置を得ることができる。
【発明を実施するための最良の形態】
【００２６】
以下、本発明の表示装置の実施の形態について、実施例の図面を参照して詳細に説明する。なお、以下では本発明を有機ＥＬ表示装置に適用したものについて説明する。
【実施例１】
【００２７】
図５は本発明による表示装置の一例における表示領域の画素配列を、その図１のＡ部分に相当する部分にて拡大して示す平面図である。図２と比較して明らかなように、表示領域の第１方向沿いに３原色の副画素（原色画素）Ｒ，Ｇ，Ｂと、赤の補色となる深緑（ディープ・グリーン）の補色画素Ｇｄとが、画素単位（カラー画素ＣＰＸ）毎にＢ，Ｇ，Ｇｄ，Ｒの順に並ぶ。原色画素及び補色画素は、第１方向に交差する第２方向沿いに並ぶ画素単位毎に分離される。
【００２８】
赤（Ｒ），緑（Ｇ），青（Ｂ）の原色画素及び深緑（Ｇｄ）の補色画素は、例えばトリス（8-キノリノラト）アルミニウム（tris-(8-quinolinato)  aluminum，ALQ3と記される）をホスト物質とする発光層に次のドーパント（ゲスト物質）を添加して形成される。赤（Ｒ）の原色画素に好適なドーパントは、米国特許第５９３５７２０号公報に記載された４−ジシアノメチレン−２−メチル−６−（ｐ−ジメチルアミノスチリル）−４Ｈ−ピラン（4-(dicyanomethylene)-2-methyl-6-(p-dimethylaminostyryl)-4H-py ran ，DCM とも略す）のジュロリジル誘導体（Julolidyl  Derivatives）の一つであり、下記分子構造（１）を有する。
【化１】
2005156925.tif 000003
【００２９】
この分子構造（１）を有するドーパントは、米国特許第５９３５７２０号公報にて、ＤＣＪＴＢとして特定され、上述の発光層は、このドーパントの添加により、その発光の最大強度を波長615nm に示す。
緑（Ｇ）の原色画素に好適なドーパントは、米国特許出願公開Ｎｏ．２００３／０１９８８２９号公報（及びこれに対応する特開２００３−２８８９９０号公報）に記載されたビス（アジニル）メテン硼素錯体基（bis(azinyl)methene  boron  complex group）を含有する硼素化合物を含む。この硼素化合物は、下記分子構造（２）を有し、その共役二重結合で結合された２つのアジニル環（修飾されたピリジン環，modified  pyridine  ring）をなす窒素原子の各々は、２つの弗素原子と結合した硼素原子に配位する。
【化２】
2005156925.tif 000004
【００３０】
この分子構造（２）を有するドーパントを上述の発光層に添加することにより、この発光層からの最大発光強度は波長540nm に現れる。
【００３１】
青（Ｂ）の原色画素に好適なドーパントは、米国特許出願公開Ｎｏ．２００３／０２０１４１５号公報（及びこれに対応する特開２００３−２５７６７０号公報）に記載され、脱プロトン化したビス（アジニル）アミン配位子（deprotonated  bis(azinyl)amine  ligand）の２つのアジニル環（修飾されたピリジン環）をなす窒素原子の夫々を硼素原子に配位させた硼素化合物を含む。この硼素化合物は、下記分子構造（３）を有する。
【化３】
2005156925.tif 000005
【００３２】
上記分子構造（３）は、２つのアジニル環を結合する共役二重結合に窒素原子が挟まれる以外、上記分子構造（２）と同じである。しかし、上述の発光層からの最大発光強度が現れる波長は、これに分子構造（３）を有するドーパントが添加されることにより、波長430nm に現れる。
【００３３】
トリス（8-キノリノラト）アルミニウムをホスト物質とする上述の発光層は、これに上述のドーパントが添加されなくとも、緑色の波長帯域の光を放つ。しかしながら、この発光波長は発光層に添加されるドーパントに応じて短波長側及び長波長側のいずれにもシフトし得る。従って、この発光層に上述した３種類のドーパントの少なくとも２つを添加することで、本発明が意図する補色画素が形成される。本実施例の表示装置を特徴付ける深緑の補色画素Ｇｄは、その発光層が形成される基材（例えば、ガラス基板上に形成された電極膜）に、上記分子構造（２）を有するドーパントと上記分子構造（３）を有するドーパントとを、夫々の比率を調節しながらトリス（8-キノリノラト）アルミニウムとともに蒸着させて形成される。本実施例の表示装置は、上述のホスト物質及びドーパント材料に限定されること無く、これらと同様な光学特性を示す他の材料を用いても実現できる。
【００３４】
図６に示すＣＩＥ１９３１色度図により、本実施例の表示装置（有機ＥＬ表示装置）の色再現領域（太線の四角形）と、従来の有機ＥＬ表示装置の色再現領域（細線で描かれた色再現トライアングル）並びにＮＴＳＣが定める色再現領域（点線で描かれる色再現トライアングル）とを比較する。有機ＥＬ表示装置に設けられた赤（Ｒ）の原色画素が放つ光の色度座標と、ＮＴＳＣが定める赤（Ｒ）の色度座標（ｘ＝0.67，ｙ＝0.33）との相違は無視できるが、緑（Ｇ）の原色画素が放つ光の色度座標はＮＴＳＣの緑（Ｇ）の色度座標（ｘ＝0.21，ｙ＝0.71）よりｘ軸方向に約＋０．１ずれ、青（Ｂ）の原色画素が放つ光の色度座標はＮＴＳＣの青（Ｂ）の色度座標（ｘ＝0.14，ｙ＝0.08）よりｙ軸方向に約＋０．１ずれる。
【００３５】
従来の有機ＥＬ表示装置の色再現トライアングルをなす赤の原色画素Ｒの色度座標を（ｘ＝Ｒｘ，ｙ＝Ｒｙ）、緑の原色画素Ｇの色度座標を（ｘ＝Ｇｘ，ｙ＝Ｇｙ）、青の原色画素Ｂの色度座標を（ｘ＝Ｂｘ，ｙ＝Ｂｙ）とすると、原色画素Ｂと原色画素Ｇとによる加法混色は下記の式１で、原色画素Ｂと原色画素Ｒとによる加法混色は下記の式２で、原色画素Ｇと原色画素Ｒとによる加法混色は下記の式３で、夫々評価される。
【００３６】
ＦBG（ｘ）＝α１・ｘ＋ｃ１              ・・・・・（式１）  
但し、Ｂｘ≦ｘ≦Ｇｘ，α１＝（Ｇｙ−Ｂｙ）／（Ｇｘ−Ｂｘ），
ｃ１＝Ｂｙ−α１・Ｂｘ
ＦBR（ｘ）＝α２・ｘ＋ｃ２              ・・・・・（式２）  
但し、Ｂｘ≦ｘ≦Ｒｘ，α２＝（Ｒｙ−Ｂｙ）／（Ｒｘ−Ｂｘ），
ｃ２＝Ｂｙ−α２・Ｂｘ
ＦGR（ｘ）＝α３・ｘ＋ｃ３              ・・・・・（式３）  
但し、Ｇｘ≦ｘ≦Ｒｘ，α３＝（Ｒｙ−Ｇｙ）／（Ｒｘ−Ｇｘ），
ｃ３＝Ｇｙ−α３・Ｇｘ
【００３７】
上述の式１、式２、及び式３を、（ｘ＝Ｒｘ，ｙ＝Ｒｙ）をＮＴＳＣの赤（Ｒ）の色度座標に、（ｘ＝Ｇｘ，ｙ＝Ｇｙ）をＮＴＳＣの緑（Ｇ）の色度座標に、（Ｘ＝Ｂｘ，ｙ＝Ｂｙ）をＮＴＳＣの青（Ｂ）の色度座標に夫々置き換えると、式１、式２、及び式３は夫々下記の式４、式５、及び式６となる。
【００３８】
ＮBG（ｘ）＝9.0 ｘ−1.18                ・・・・・（式４）  
ＮBR（ｘ）＝0.47ｘ＋0.014               ・・・・・（式５）  
ＮGR（ｘ）＝−0.83ｘ＋0.88              ・・・・・（式６）  
【００３９】
図６に示される従来の有機ＥＬ表示装置の色再現トライアングルでは、ＦBG（ｘ）の勾配α１がＮBG（ｘ）のそれより小さいため、原色画素Ｂと原色画素Ｇとの加法混色で得られる発光は黄色がかり、青に近い中間色は緑色を帯びる。
【００４０】
これに対して、本実施例の有機ＥＬ表示装置では、次の式７、式８、及び式９を満たす色度座標（ｘ＝Ｃｘ，ｙ＝Ｃｙ）の深緑の光を放つ補色画素Ｇｄを設ける。
Ｃｘ＜Ｇｘ                          ・・・・・（式７）
Ｃｙ＞Ｂｙ                          ・・・・・（式８）
Ｃｙ≧ＦBG（Ｃｘ）                  ・・・・・（式９）
【００４１】
このような条件を満たす色度座標（ｘ＝Ｃｘ，ｙ＝Ｃｙ）は、青の原色画素Ｂが放つ光の色度座標と緑の原色画素Ｇが放つ光の色度座標とを結ぶ式１のＦBG（ｘ）の線を挟んで赤の原色画素Ｒが放つ光の色度座標と対向する。従って、この色度座標（ｘ＝Ｃｘ，ｙ＝Ｃｙ）を有する補色画素Ｇｄからの深緑の発光は、色相環（Hue  Circle ）により一般に知られる赤の補色とは相違するものの、赤の原色画素Ｒが放つ光と加法混色されて白に近い光を生成するため、赤の原色画素Ｒが放つ光の実質的な補色となる。
【００４２】
更に、本実施例の有機ＥＬ表示装置のＣＩＥ１９３１色度図における色再現領域は、画素単位（カラー画素）毎に３つの原色画素Ｒ，Ｇ，Ｂに加えて補色画素Ｇｄを設けることにより、式１に規定されるＦBG（ｘ）の線が下記の式１０及び式１１に定められるＦBGd （ｘ）の線及びＦGdG （ｘ）の線の組合せに置き換わる。
【００４３】
ＦBGd （ｘ）＝α４・ｘ＋ｃ４              ・・・・・（式１０）  
但し、本実施例では、
Ｃｘ≦ｘ≦Ｂｘ，
α４＝（Ｃｙ−Ｂｙ）／（Ｃｘ−Ｂｘ），
ｃ４＝By−α４・Bx
ＦGdG （ｘ）＝α５・ｘ＋ｃ５                      …（式１１）  
但し、本実施例では、
Ｃｘ≦ｘ≦Ｇｘ，
α５＝（Ｇｙ−Ｃｙ）／（Ｇｘ−Ｃｘ），
ｃ５＝Ｃｙ−α５・Ｃｘ
【００４４】
これにより、本実施例の有機ＥＬ表示装置の色再現領域は、図６に太線で示される如く、式２に示すＦBR（ｘ）の線，式３に示すＦGR（ｘ）の線，式１１に示すＦGdG （ｘ）の線，及び式１０に示すＦBGd （ｘ）の線からなる四角形をなす。従って、従来の有機ＥＬ表示装置では、式１に示すＦBG（ｘ）に応じて加法混色されていた青と緑との中間色のうち青に近いものは、本実施例の有機ＥＬ表示装置により式１０のＦBGd （ｘ）に応じて加法混色される。
【００４５】
因みに、本実施例の有機ＥＬ表示装置において、３つの原色画素Ｒ，Ｇ，Ｂと補色画素Ｇｄとの夫々から放たれる光の色度座標は以下のとおりである。
赤の原色画素Ｒ・・・・（ｘ＝0.65，ｙ＝0.35）
緑の原色画素Ｇ・・・・（ｘ＝0.32，ｙ＝0.67）
青の原色画素Ｂ・・・・（ｘ＝0.15，ｙ＝0.15）
深緑の補色画素Ｇｄ・・（ｘ＝0.10，ｙ＝0.70）
【００４６】
これらの色度座標からなる本実施例の有機ＥＬ表示装置の色再現領域において、式１０のＦBGd （ｘ）の勾配α４は「−１１」となり、勾配α１＝＋３．１を示すＦBG（ｘ）に比べて青の色度座標からｙ軸方向に急峻に立ち上がる。換言すれば、ＦBGd （ｘ）の線は、ＮＴＳＣの色再現領域をなす式４のＮBG（ｘ）の如く、青の色度座標からｙ軸方向に立ち上がる。このため、本実施例の有機ＥＬ表示装置では、従来の有機ＥＬ表示装置が再現し得なかった青と緑との中間色が、これにＮＴＳＣ方式で送られる画像信号に則して忠実に再現される。
【００４７】
また、本実施例の有機ＥＬ表示装置では、深緑の補色画素Ｇｄの色度座標がＮＴＳＣの規定する色再現トライアングルの外側に位置するため、その色再現領域も図６に示す如く、青から緑に亘る領域でＮＴＳＣの色再現トライアングルの外側に広がる。従って、ＮＴＳＣ方式では考慮されなかった下記の式１２を満たす色度領域（Chromaticity  Region）の色も本実施例の有機ＥＬ表示装置により表示される。
ｙ≧9.0 ｘ−1.18                ・・・・・（式１２）  
【００４８】
本実施例の有機ＥＬ表示装置により、ＮＴＳＣの色再現トライアングルから外れた色を再現する場合、画素単位（カラー画素）ＣＰＸ毎に設けられる３つの原色画素Ｒ，Ｇ，Ｂ及び補色画素Ｇｄの夫々に画素回路（副画素に対応した画像信号を取り込む画素駆動トランジスタとこれにより制御される電流制御トランジスタとを少なくとも含む）を設けるとよい。また、この有機ＥＬ表示装置がＮＴＳＣ方式に拠る３原色の信号として受信する画像情報を深緑も含む４種類の画像信号に変換し、これらの画像信号で画素単位毎に３つの原色画素Ｒ，Ｇ，Ｂと１つの補色画素Ｇｄとを独立して制御すると良い。これにより、本実施例の有機ＥＬ表示装置では、従来の表示装置（有機ＥＬ表示装置以外も含む）のいずれで生成される「ソフトコピー」では表現され得なかった、減法混色により印刷物やフィルムに生成される「ハードコピー」並みの多様な色調による「ソフトコピー」が生成される。例えば、表示画像の複数の画素単位間に亘って現れる青から緑への色調の変化が、細やかなグラデーションとして再現される。
【００４９】
さらに、画素単位ＣＰＸ毎に３つの原色画素Ｒ，Ｇ，Ｂと１つの補色画素Ｇｄとを備えた本実施例の有機ＥＬ表示装置では、画素単位ＣＰＸ毎に３つの原色画素Ｒ，Ｇ，Ｂのみを備えた従来の有機ＥＬ表示装置に比べて、４つの副画素（原色画素及び補色画素）の各々に加わる負荷も低減される。換言すれば、本実施例の有機ＥＬ表示装置では、所望の色調を再現するために副画素に余剰な負荷を掛ける必要が無くなる。このため、有機ＥＬ表示装置としての寿命（副画素の発光輝度の半減期で決まる）が延び、その信頼性も向上される。
【実施例２】
【００５０】
図７は本発明による表示装置の別の一例における表示領域の画素配列を、その図１のＡ部分に相当する部分を拡大して示す平面図である。図５に示される実施例１の表示装置（有機ＥＬ表示装置）と比較して明らかなように、本実施例の表示装置では、表示領域の第１方向沿いに並ぶ３原色の副画素（原色画素）Ｂ，Ｇ，Ｒと、第１方向に交差する第２方向沿いにこれら３つの副画素の夫々に隣接して且つ第１方向沿いに並ぶ他の副画素Ｂｄ，Ｗ，Ｇｄとで、１つの画素単位（カラー画素）ＣＰＸが構成される。副画素Ｇｄは、実施例１で述べた補色画素Ｇｄと同様に、赤の原色画素Ｒから放たれる光の実質的な補色となる光を放つ深緑（ディープ・グリーン）の補色画素（第１補色画素）である。副画素Ｂｄは、緑の原色画素Ｇから放たれる光の実質的な補色となる光を放つ深青（ディープ・ブルー）の補色画素（第２補色画素）である。副画素Ｗは、白色の光を放ち、以降、白色画素と記される。上記第１方向を行方向、上記第２方向を列方向と記すなら、本実施例の有機ＥＬ表示装置の画素単位ＣＰＸは、２行３列に配置された６つの副画素からなる。
【００５１】
深青の光を放つ第２補色画素Ｂｄは、その発光層が形成される基材に、例えば、上述した分子構造（１）を有するドーパントと分子構造（３）を有するドーパントとを、夫々の比率を調節しながらトリス（8-キノリノラト）アルミニウムとともに蒸着させて形成される。白色画素Ｗは、その発光層が形成される基材に、例えば、上述した分子構造（１）を有するドーパント、分子構造（２）を有するドーパント、及び分子構造（３）を有するドーパントとを、夫々の比率を調節しながらトリス（8-キノリノラト）アルミニウムとともに蒸着させて形成される。本実施例においても、副画素の各々は、上述のホスト物質及びドーパント材料に限定されること無く、これらと同様な光学特性を示す他の材料を用いても形成される。
【００５２】
図６に示すＣＩＥ１９３１色度図により、本実施例の表示装置（有機ＥＬ表示装置）の色再現領域（太線の五角形）を、従来の有機ＥＬ表示装置の色再現領域（細線で描かれた色再現トライアングル）並びにＮＴＳＣが定める色再現領域（点線で描かれる色再現トライアングル）と比較する。本実施例では、３つの原色画素Ｒ，Ｇ，Ｂに１つの補色画素Ｇｄを加えた実施例１の単位画素ＣＰＸに、更に次の式１３、式１４、及び式１５を満たす色度座標（x ＝Dx，y ＝Dy）の深青の光を放つ第２の補色画素Ｂｄが追加される。
Ｄｘ＜Ｒｘ                          ・・・・・（式１３）
Ｄｙ＜Ｂｙ                          ・・・・・（式１４）
Ｄｙ≧ＦBR（Ｄｘ）                  ・・・・・（式１５）
【００５３】
このような条件を満たす色度座標（ｘ＝Ｄｘ，ｙ＝Ｄｙ）は、青の原色画素Ｂが放つ光の色度座標と赤の原色画素Ｒが放つ光の色度座標とを結ぶ式２のＦBR（ｘ）の線を挟んで緑の原色画素Ｇが放つ光の色度座標と対向する。従って、この色度座標（ｘ＝Ｄｘ，ｙ＝Ｄｙ）を有する補色画素Ｂｄからの深青の発光は、色相環により一般に知られる緑の補色とは相違するものの、緑の原色画素Ｇが放つ光と加法混色されて白に近い光を生成する。従って、補色画素Ｂｄから放たれる深青の光は、赤の原色画素Ｒが放つ光の実質的な補色を示す。
【００５４】
更に、本実施例の有機ＥＬ表示装置のＣＩＥ１９３１色度図における色再現領域は、画素単位（カラー画素）毎に３つの原色画素Ｒ，Ｇ，Ｂに加えて第１補色画素Ｇｄ及び第２補色画素Ｂｄを設けることにより、式１に規定されるＦBG（ｘ）の線が式１０に定められるＦBGd （ｘ）及び式１１に定められるＦGdG （ｘ）の線の組合せに置き換わり、式２に規定されるＦBR（ｘ）の線が下記の式１６及び式１７に定められるＦBBd （ｘ）の線及びＦBdR （ｘ）の線の組合せに置き換わる。
【００５５】
ＦBBd （ｘ）＝α６・ｘ＋ｃ６              ・・・・・（式１６）  
但し、本実施例では、
Ｂｘ≦ｘ≦Ｃｘ，
α６＝（Ｄｙ−Ｂｙ）／（Ｄｘ−Ｂｘ），
ｃ６＝Ｂｙ−α６・Ｂｘ
ＦBdR （ｘ）＝α７・ｘ＋ｃ７              ・・・・・（式１７）  
但し、本実施例では、
Ｄｘ≦ｘ≦Ｒｘ，
α７＝（Ｒｙ−Ｄｙ）／（Ｒｘ−Ｄｘ），
ｃ７＝Ｄｙ−α７・Ｄｘ
【００５６】
これにより、本実施例の有機ＥＬ表示装置の色再現領域は、図６に太線で示される如く、式１６に示すＦBBd （ｘ）の線，式１７に示すＦBdR （ｘ）の線，式３に示すＦGR（ｘ）の線，式１１に示すＦGdG （ｘ）の線，及び式１０に示すＦBGd （ｘ）の線からなる五角形をなす。従って、従来の有機ＥＬ表示装置では、式１に示すＦBG（ｘ）に応じて加法混色されていた青と緑との中間色のうち青に近いものは、本実施例の有機ＥＬ表示装置により式１０のＦBGd （ｘ）に応じて加法混色される。また、従来の有機ＥＬ表示装置では、式２に示すＦBR（ｘ）に応じて加法混色されていた青と赤との中間色のうち青に近いものは、本実施例の有機ＥＬ表示装置により式１６のＦBBd （ｘ）に応じて加法混色される。
【００５７】
因みに、本実施例の有機ＥＬ表示装置において、３つの原色画素Ｒ，Ｇ，Ｂ、第１補色画素Ｇｄ、並びに第２補色画素Ｂｄの夫々から放たれる光の色度座標は以下のとおりである。
赤の原色画素Ｒ・・・・（ｘ＝0.65，ｙ＝0.35）
緑の原色画素Ｇ・・・・（ｘ＝0.32，ｙ＝0.67）
青の原色画素Ｂ・・・・（ｘ＝0.15，ｙ＝0.15）
深緑の第１補色画素Ｇｄ・・・（ｘ＝0.10，ｙ＝0.70）
深青の第２補色画素Ｂｄ・・・（ｘ＝0.30，ｙ＝0.10）
【００５８】
上述のように、３つの原色画素Ｒ，Ｇ，Ｂに夫々相当する色度座標並びに第１補色画素Ｇｄに相当する色度座標は、実施例１で述べた原色画素Ｒ，Ｇ，Ｂ並び補色画素Ｇｄの夫々の色度座標と同じため、本実施例の有機ＥＬ表示装置にて第１補色画素Ｇｄを設けた効果の説明は、実施例１で述べた補色画素Ｇｄを設けた効果の記述に譲る。
【００５９】
一方、本実施例の有機ＥＬ表示装置に追加された第２補色画素Ｂｄの効果を以下に述べる。この第２補色画素Ｂｄにより、青と赤との中間色のうち青に近いものは、勾配α６＝−０．３３を示す式１６のＦBBd （ｘ）に沿う加法混色で生成される。このため、本実施例における青の原色画素Ｂの色度座標から赤の原色画素Ｒの色度座標に向かう加法混色条件の変化は、勾配α２＝＋０．４０を示す式２のＦBR（ｘ）に沿う従来の加法混色よりも緩やかとなる。従って、本実施例の有機ＥＬ表示装置は、青に近い青と赤との中間色を赤みがからせることなく生成し、従来の有機ＥＬ表示装置では再現が難しかった青紫色の微妙な色調変化をも再現する。また、青の原色画素Ｂの色度座標が、その材料の制限によりＮＴＳＣが定める青の色度座標の値に達しなくとも、本実施例の有機ＥＬ表示装置は、青から赤に向かう中間色の遷移を緩めることで、青から青紫に到る色調を、従来の有機ＥＬ表示装置よりもＮＴＳＣ方式にて受信する画像情報に近づけて再現する。
【００６０】
また、本実施例の有機ＥＬ表示装置では、深緑の第１補色画素Ｇｄ及び深青の第２補色画素Ｂｄの色度座標がＮＴＳＣの規定する色再現トライアングルの外側に位置するため、その色再現領域も図８に示す如く、青から緑に亘る領域及び青から赤に亘る領域でＮＴＳＣの色再現トライアングルの外側に広がる。従って、実施例１の有機ＥＬ表示装置と同様に式１２を満たす色度領域の色に加えて、この色度領域とともにＮＴＳＣ方式では考慮されなかった式１８を満たす色度領域の色も本実施例の有機ＥＬ表示装置により表示される。
ｙ≦0.47ｘ＋0.014                 ・・・・・（式１８）  
【００６１】
本実施例の有機ＥＬ表示装置により、ＮＴＳＣの色再現トライアングルから外れた色を再現する場合、実施例１に倣い、画素単位（カラー画素）ＣＰＸ毎に設けられる３つの原色画素Ｒ，Ｇ，Ｂ、第１補色画素Ｇｄ、第２補色画素Ｂｄ、白色画素W の夫々に画素回路を設けるとよい。また、本実施例の有機ＥＬ表示装置がＮＴＳＣ方式に拠る３原色の信号として受信する画像情報を、３原色，深緑，深青，及び白の６種類の画像信号に変換し、これらの画像信号で画素単位毎に設けられた３つの原色画素Ｒ，Ｇ，Ｂ、２つの補色画素Ｇｄ，Ｂｄ、及び白色画素Ｗを独立して制御してもよい。
【００６２】
図６に本実施例の有機ＥＬ表示装置にて、画素単位（カラー画素）ＣＰＸ毎に設けられた白色画素Ｗは、表示画像のコントラストや白色輝度を向上する。白色画素は色再現領域を決める原色画素や補色画素とは異なる役割を担うため、その形状や面積を他の副画素（３つの原色画素及び２つの補色画素）を異ならせてもよい。
本実施例の有機ＥＬ表示装置は、上述した構造的な特徴を有することにより、従来の表示装置では生成され得ない減法混色により生成される「ハードコピー」並みの多様な色調による「ソフトコピー」が生成される。
【００６３】
さらに、本実施例の有機ＥＬ表示装置は、画素単位ＣＰＸ毎に３つの原色画素Ｒ，Ｇ，Ｂ、第１補色画素Ｇｄ、第２補色画素Ｂｄ、及び白色画素Ｗを備えることにより、従来の有機ＥＬ表示装置に比べて、６つの副画素（原色画素、補色画素、白色画素）の各々に加わる負荷も低減される。この利点の理由は、実施例１にて述べたそれと同様であり、本実施例の有機ＥＬ表示装置も従来の有機ＥＬ表示装置に比べて長い寿命を持ち、その信頼性も向上される。
【００６４】
以上に述べた、本発明による実施例１及び実施例２のいずれの表示装置においても、青の原色画素に対する補色画素Ｒｄを設けてもよい。この補色画素Ｒｄは、その発光の色度座標（ｘ＝Ｅｘ，ｙ＝Ｅｙ）が、次の式１９、式２０、及び式２１を満たすように形成されることが望ましい。
Ｅｘ＞Ｇｘ                          ・・・・・（式１９）
Ｅｙ＞Ｒｙ                          ・・・・・（式２０）
Ｅｙ≧ＦGR（Ｅｘ）                  ・・・・・（式２１）
【００６５】
また、本発明による実施例１及び実施例２のいずれの表示装置においても、補色画素や白色画素を隣接する２つの画素単位（カラー画素）ＣＰＸで共用してもよい。
【００６６】
また、上述の補色画素は原色画素の表示色を強調する作用も有する。上述のように、補色画素の発光色は、この補色画素に対応する原色画素の発光色に対して色相環で示される補色と若干異なる。例えば、緑の原色画素Ｇに対する補色画素Ｂｄは緑の補色より青みがかる深青の発光色を示す。このため、補色画素Ｂｄは青の原色画素Ｂの表示色を強調する。同様に、赤の原色画素Ｒに対する補色画素Ｇｄは緑の原色画素Ｇの表示色を強調し、青の原色画素Ｂに対する補色画素Ｒｄは赤の原色画素Ｒの表示色を強調する。従って、原色画素の発光層とその発光色を強調する補色画素の発光層とを同じ画素回路で動作してもよい。
【００６７】
図９には、緑の原色画素ＰＸ（Ｇ）とその発光色を強調する副画素ＰＸ（Ｇｅ）（赤の原色画素Ｒに対する補色画素Ｇｄとしても機能する）とを動作させる画素回路の一例が示される。図９において、緑の原色画素ＰＸ（Ｇ）に対応した画像信号を取り込む画素駆動トランジスタＴＦＴ１は、ドレイン線ＤＬにより伝送される画像信号をゲート線ＧＬで伝送される走査信号に応じて取り込む。この画像信号として取り込まれた電荷は、緑の原色画素ＰＸ（Ｇ）に対応する容量Ｃｓ１及びこの原色画素Ｇの発光色を強調する副画素ＰＸ（Ｇｅ）に対応する容量Ｃｓ２に夫々蓄積される。前者Ｃｓ１に蓄積された電荷は原色画素ＰＸ（Ｇ）の発光素子（発光層）ＯＬＥＤ１に電流を供給する電流制御トランジスタＴＦＴ２のターン・オン条件を、後者Ｃｓ２に蓄積された電荷は副画素ＰＸ（Ｇｅ）の発光素子（発光層）ＯＬＥＤ２に電流を供給する電流制御トランジスタＴＦＴ３のターン・オン条件を夫々決める。
【００６８】
原色画素ＰＸ（Ｇ）の電流制御トランジスタＴＦＴ２は、容量Ｃｓ１に蓄積された上記画像信号を受けてターン・オンされ、緑の原色画素用の電源線ＣＬ１から上記ターン・オン条件に応じた電流を原色画素ＰＸ（Ｇ）の発光層ＯＬＥＤ１に供給する。副画素ＰＸ（Ｇｅ）の電流制御トランジスタＴＦＴ３は、容量Ｃｓ２に蓄積された上記画像信号を受けてターン・オンされ、緑の発光を強調する副画素用の電源線ＣＬ２から上記ターン・オン条件に応じた電流を副画素ＰＸ（Ｇｅ）の発光層ＯＬＥＤ２に供給する。この画素回路を採用することで、従来は緑の原色画素ＰＸ（Ｇ）が単独で担っていた緑色の発光が、緑の原色画素ＰＸ（Ｇ）とその言わば補助画素ＰＸ（Ｇｅ）とにより担われる。従って、図６や図８に示される緑の原色画素Ｇの色度座標があたかもｘ軸沿いにＮＴＳＣの緑の色度座標寄りにシフトする。
【００６９】
また、図９の画素回路に実施例１で述べた有機ＥＬ表示装置の原色画素Ｇと補色画素Ｇｄとを組み込むことにより、その色再現領域は、青から緑に亘る表示領域において、図６に点線で示すＮＴＳＣの色再現トライアングルに重なる三角形になぞられる。従って、画素単位ＣＰＸ毎に形成すべき画素回路を複雑にすることなく、深い色調の再現が可能となる。
【産業上の利用可能性】
【００７０】
本発明は、有機ＥＬを発光層としたものに限らず、無機ＥＬ材料の発光層を有するエレクトロルミネッセンス表示装置にも適用でき、また、電界放出型表示装置（ＦＥＤ）やプラズマ型表示装置（ＰＤＰ）などの自発光型表示装置における蛍光体形成にも同様に適用できる。さらに、ＬＣＤにも適用可能である。これらの表示装置に本発明を適用することで、色再現性の向上と低消費電力化を図ることができる。
【図面の簡単な説明】
【００７１】
【図１】有機ＥＬ表示装置の有効表示領域ＡＲの平面図である。
【図２】図１にＡで示した隅部分のカラー副画素配列の一例を説明する拡大図である。
【図３】図２は図１にＡで示した隅部分のカラー副画素配列の他例を説明する拡大図である。
【図４】色度座標空間における従来の表示装置の色再現範囲の説明図である。
【図５】本発明による表示装置の実施例１を説明するための図１のＡ部分に相当する表示領域の画素配列構造の平面図である。
【図６】本発明による表示装置の実施例１の色再現範囲を説明する色度座標空間の説明図である。
【図７】本発明による表示装置の実施例２を説明するための図１のＡ部分に相当する表示領域の画素配列構造の平面図である。
【図８】本発明による表示装置の実施例２の色再現範囲を説明する色度座標空間の説明図である。
【図９】原色の副画素に当該原色を強調する副画素を設けた場合の一例を説明する回路構成図である。
【図１０】有機ＥＬ表示装置の一画素付近の構成例を模式的に説明する断面図である。
【図１１】有機ＥＬ表示装置の等価回路の一例の説明図である。
【符号の説明】
【００７２】
ＡＲ・・・・有効表示領域、ＰＸ・・・・原色の副画素、ＣＰＸ・・・・カラー１画素、Ｇｄ，Ｂｄ・・・・補色の副画素、Ｗ・・・・白色発光の副画素。
【図１】
2005156925.tif 000006
【図２】
2005156925.tif 000007
【図３】
2005156925.tif 000008
【図４】
2005156925.tif 000009
【図５】
2005156925.tif 000010
【図６】
2005156925.tif 000011
【図７】
2005156925.tif 000012
【図８】
2005156925.tif 000013
【図９】
2005156925.tif 000014
【図１０】
2005156925.tif 000015
【図１１】
2005156925.tif 000016